(57)【要約】【課題】靴底の底面にフェルトソールを固定した釣用ブーツにおいて、フェルトソールの変形に追従し易い靴底を備えた釣用ブーツを提供する。【解決手段】本発明の釣用ブーツは、ブーツ本体の底面２ａにフェルトソール１０を固定した構造となっている。底面２ａには、下方に向けて多数の突起３が形成されており、突起３の先端にフェルトソール１０を接着により固定したことを特徴とする。【選択図】図５
2011087530.tif 000002
【特許請求の範囲】
【請求項１】
ブーツ本体の底面にフェルトソールを固定した釣用ブーツにおいて、
前記底面に、下方に向けて多数の突起を形成し、
前記突起の先端にフェルトソールを接着により固定したことを特徴とする釣用ブーツ。
【請求項２】
前記底面の外周縁に、前記フェルトソールの外周縁と面接する平坦部を形成したことを特徴とする請求項１に記載の釣用ブーツ。
【請求項３】
前記突起は、踵側が高く、つま先側が低く形成されていることを特徴とする請求項１又は２に記載の釣用ブーツ。
【請求項４】
前記突起は、根元側より先端側が細く形成されていることを特徴とする請求項１から３のいずれか１項に記載の釣用ブーツ。
【発明の詳細な説明】
【技術分野】
【０００１】
本発明は、主に魚釣りをする際に使用される釣用ブーツに関し、詳細には、靴底の裏面にフェルトソールを固定した釣用ブーツに関する。
【背景技術】
【０００２】
従来、渓流釣りや海釣り等に用いられる釣用ブーツは、様々な形態が知られており、例えば、特許文献１に見られるように、ブーツ本体の靴底の裏面（底面）に、フェルトソールを接着により固定したものが知られている。このようなフェルトソールを固定することで、起伏が多い部分、或いは、藻や水苔が繁殖している部分を歩いても、滑り難くなり、釣り人は安心して釣りを行うことが可能となる。
【先行技術文献】
【特許文献】
【０００３】
【特許文献１】実公平５−２０１６１号
【発明の概要】
【発明が解決しようとする課題】
【０００４】
上記した従来の釣用ブーツでは、フェルトソールに比べて靴底の方が変形し難いため、石のような突起物の上を歩いた際、靴底がフェルトソールの変形に追従し難くなり、滑りが生じてしまう。また、靴底とフェルトソールとの一体感がなくなって、クッション性が悪く感じたり（履き心地が悪く感じる）、フェルトソールの剥離が生じる可能性もある。
【０００５】
本発明は、上記した問題に着目してなされたものであり、靴底の底面にフェルトソールを固定した釣用ブーツにおいて、フェルトソールの変形に追従し易い靴底を備えた釣用ブーツを提供することを目的とする。
【課題を解決するための手段】
【０００６】
上記した目的を達成するために、本発明に係る釣用ブーツは、ブーツ本体の底面にフェルトソールを接着により固定した構成において、前記底面に、下方に向けて多数の突起を形成し、前記突起の先端にフェルトソールを固定したことを特徴とする。
【０００７】
上記した構成の釣用ブーツによれば、釣り人が石のような突起物を踏んだ際、ブーツ本体の底面に形成した多数の突起が変位し易いことから、フェルトソールの変形に靴底が追従し易くなって、滑りが生じ難くなる。また、靴底とフェルトソールが一体的に変位することから、履き心地が悪く感じることもなく、フェルトソールの剥離が生じる可能性も低減される。
【発明の効果】
【０００８】
本発明によれば、靴底の底面にフェルトソールを固定した釣用ブーツにおいて、使用時に突起物等を踏んでフェルトソールが変形しても、靴底がフェルトソールの変形に追従し易くなる。このため、突起物を踏んだ際の滑りが生じ難くなると共に、フェルトソールの剥離が抑制され、さらに、履き心地の向上が図れるようになる。
【図面の簡単な説明】
【０００９】
【図１】本発明に係る釣用ブーツの一実施形態を示す側面図。
【図２】図１に示す釣用ブーツにおいて、フェルトソールを固定する前の靴底の裏面を示す図。
【図３】靴底の裏面にフェルトソールを固定する状態を示す図。
【図４】靴底の裏面に形成される突起の構成を示した断面図。
【図５】（ａ）は、フェルトソールを固定した状態を示す拡大断面図、（ｂ）は、石のような突起物を踏んだ状態を示す拡大断面図。
【図６】靴底の裏面に形成される突起の変形例を示す断面図。
【発明を実施するための形態】
【００１０】
以下、本発明に係る釣用ブーツの実施形態について具体的に説明する。  
図１から図５は、本発明に係る釣用ブーツの一実施形態を示す図であり、図１は、側面図、図２は、図１に示す釣用ブーツにおいて、フェルトソールを固定する前の靴底の裏面を示す図、図３は、靴底の裏面にフェルトソールを固定する状態を示す図、図４は、靴底の裏面に形成される突起の構成を示した断面図、そして、図５（ａ）は、フェルトソールを固定した状態を示す拡大断面図、図５（ｂ）は、石のような突起物を踏んだ状態を示す拡大断面図である。
【００１１】
本実施形態の釣用ブーツは、ブーツ本体１と、ブーツ本体１に対して接着、固定されるソール部１０とを備えて構成される。
【００１２】
前記ブーツ本体１は、ゴム等の素材で一体形成されており、その靴底２の裏面（底面）２ａに、略同じ形状にカットされ、所定の肉厚を有するソール部１０が接着、固定されている。具体的には、前記ソール部１０は、ポリプロピレン等の合成繊維によって構成されるフェルト部材によって構成されており（以下、フェルトソール１０と称する）、底面２ａに対して接着剤２０（図５参照）によって接着、固定されている。
【００１３】
前記靴底２の底面２ａには、図２に示すように、下方に向けて突出する多数の突起３が形成されている。突起３は、底面２ａに対して、所定の間隔で足の長手方向及び幅方向に沿って多数形成されており、本実施形態の各突起３は、四角柱状で、その突出端の表面３ａが平坦面となって略等しい表面積となるように形成されている。そして、多数の突起３は、その突出端側の表面３ａが、各突起を全体的に見た際、略面一状となるように形成されており、各突起の表面（先端）３ａにフェルトソール１０が面接触して、接着、固定されるようになっている（図３、図５参照）。
【００１４】
前記多数の突起３は、ブーツ本体１と共に一体形成しても良いし、予め多数の突起３を形成したソール体（図示せず）をブーツ本体１の裏面に取着して構成したものであっても良い。すなわち、ブーツ本体１の、フェルトソールが取着される部分（多数の突起が形成される部分）は、直接、多数の突起が形成された単層構造であっても良いし、そのような突起を有するソール体を取着した積層構造であっても良い。
【００１５】
また、前記多数の突起３については、裏面全体に亘って同一の高さで構成されていても良いが、図４に示すように、踵側の突起を高く、つま先側を低く形成しておくことが好ましい。
【００１６】
さらに、前記底面２ａの外周縁に、フェルトソール１０の外周縁と面接する平坦部５を形成しておくことが好ましい。この平坦部５は、前記多数の突起３の表面と略面一状になるように形成されており、フェルトソール１０が安定して接着、固定される機能を果たしている。すなわち、底面２ａの周囲まで突起３を形成しておくと、フェルトソール１０を接着して使用した際、外周縁部分の突起３が崩れ易くなってしまうが、このような平坦部５を形成しておくことで、フェルトソール１０を安定して接着固定しておくことが可能となる。
【００１７】
上記した構成の釣用ブーツによれば、図５（ｂ）に示すように、釣り人が水辺を歩行して石のような突起物３０を踏んだ際、ブーツ本体１の底面２ａに形成した多数の突起３が、各突起間の空洞部３ｄ領域において矢印で示すように変位する（各突起がフェルトソール１０を包み込むように変位する）ことから、フェルトソール１０の変形（撓み）に靴底２が追従し易くなって滑りが生じ難くなる。すなわち、突起物３０を踏んだ際のフェルトソールの変形に靴底２の裏面（底面）２ａが追従するように変形し易いことから、靴底２とフェルトソールが一体的に変位できるようになり、これにより、突起物３０を包み込むように変形することが可能となる。したがって、突起物３０とフェルトソールの接触面積が増えて滑りが生じ難くなる。
【００１８】
また、ブーツ本体１の底面２ａに形成した多数の突起３の表面（先端）３ａにフェルトソール１０を接着したこと、すなわち、靴底２のフェルトソール接着面が面一状でない（連続面でない）ことによって、突起物３０を踏んだ際に生じる接着剤２０部分での靴底の裏面とフェルトソールの変位差が緩和され、接着部のせん断力が抑制されるようになり、接着部の境界部分で剥離が生じる可能性も低減される。
【００１９】
さらに、靴底２とフェルトソール１０が一体的に変位することが可能となるため、突起物３０を踏んだときに足裏のどこで突起物を踏んだかが分かり易くなる。すなわち、水辺の状況（凹凸面）等を足裏で感じながら歩くことが可能になるため、履き心地の向上が図れるようになる。
【００２０】
また、上記した実施形態では、図４に示すように、多数の突起３は、踵側が高く、つま先側が低く形成されているため、フェルトソール１０を接着、固定した際、踵側の靴底２が、つま先側に比べて変形し易い状態になっている。すなわち、ブーツ本体の靴底２は、その構造上、踵側が撓み難く、つま先側が撓み易い状態となっているため、踵側の突起を高く設定しておくことで、フェルトソール１０の変形に対して靴底２が全面に亘って安定して追従できるようになり、上記した作用効果がより確実に発揮されるようになる。
【００２１】
さらに、底面２ａの外周縁に、フェルトソール１０の外周縁と面接する平坦部５を形成したことで、縁部に大きな力が作用しても強度を十分確保することが可能となる。
【００２２】
図６は、靴底２の裏面の変形例を示す断面図である。  
この変形例における多数の突起３Ａは、根元側より先端側が細く形成されており、突起自体が変形し易いように構成されている。これにより、突起物を踏んだ際に、フェルトソール１０の変形に対して、靴底２がより効果的に追従し易くなって、上記した作用効果がより確実に発揮されるようになる。
【００２３】
以上、本発明の実施形態について説明したが、本発明は上記した実施形態に限定されることはなく、種々変形することが可能である。例えば、ブーツ本体１の形状、素材、及び靴底２の構造については、適宜変形することが可能である。また、突起３については、円柱状に構成する等、その形状についても適宜変形することが可能である。
【符号の説明】
【００２４】
１  ブーツ本体
２  靴底
２ａ  底面
３，３Ａ  突起
５  平坦部
１０  ソール部（フェルトソール）
２０  接着剤
３０  突起物
【図１】
2011087530.tif 000003
【図２】
2011087530.tif 000004
【図３】
2011087530.tif 000005
【図４】
2011087530.tif 000006
【図５】
2011087530.tif 000007
【図６】
2011087530.tif 000008